(57)【要約】      （修正有）【課題】主として防火シャッターの予定部位に設置され、検出機能を提供し、必要な時に駆動装置が起動して作動できる防火棒を提供する。【解決手段】防火棒の構造は、一つの防火シャッターの予定部位に設置され、棒管本体１の中心内部に一つの軸管部が収納され、且つ前端が第１の錠止部２に当接し、後端が一つのセンサー部４に組合せ・接続することにより、該軸管部をスペーシングする。作動ロッド７は、一端が該軸管部の中へ伸ばし込み且つ第２の弾性部を突き上げ、他端が第１の弾性部を突き抜けて嵌合し且つ第１の錠止部の外部を突き抜け、更に防火シャッターの駆動装置を突き上げる。該センサー部は受熱・熔融した後に該軸管部に対する規制・阻止作用を失う。該軸管部は該作動ロッドと連動して変位し、シャッター内の複数のバッフルプレートが回転して開放または閉鎖の状態を呈することを可能とする。【選択図】図１
0003156893.tif 000002
【実用新案登録請求の範囲】
【請求項１】
一つの棒管本体、一つの第１の錠止部、一つの軸管部、一つのセンサー部、一つの第２の錠止部、一つの第１の弾性部、一つの作動ロッドと一つの第２の弾性部を含み、
棒管本体は、前後を突き抜ける中心孔を有し、前端に第１の組立部を設け、後端に第２の組立部を設け、
第１の錠止部は、概略ナットの外形を呈し、その外部に複数の縦方向ねじ山を設けることにより、人手の掴み取りに寄与し、該第１の錠止部の前端がスルーホールを一つ有し、後端に一つの円孔を内凹向きに設け、該棒管本体と互いに嵌合でき、且つその円孔内には、該棒管本体の第１の組立部に対応して接合部を一つ設け、
軸管部は、該棒管本体の中心孔の内部に収納され、該軸管部の後端の一段を該棒管本体の中心孔の後端外部へ伸ばし出し、該軸管部の前端に一つの第３の組立部と一つの内凹長孔を設け、該棒管本体の中心孔の内部および該第２の組立部には、本体の外周側より、少なくとも一つの排気孔を穿設し、そして該軸管部の後端に比較的小さな円径を呈する小口径段を設け、該棒管本体の中心孔の内部に収納され、該軸管部の作動変位の行いに寄与でき、
センサー部は、前端に一つの第４の組立部を設け、該棒管本体の第２の組立部と互いに対応して組み立てることを可能とし、且つ該センサー部の中心に一つの内凹孔を設け、該軸管部を該棒管本体の中心孔の外部へ伸ばし出し、
第２の錠止部は、中心に一つのスルーホールを設け、その後端に一つの螺合部を設け、該軸管部の第３の組立部と互いに対応して組み立てることを可能とし、
第１の弾性部は、該軸管部の内凹長孔の内に収納され、
作動ロッドは、その後端に比較的大きな円径を呈して有する拡大段を設けることにより、該軸管部の内凹長孔の中へ伸ばし込み且つ該第１の弾性部の一端に当接でき、作動ロッドの前端は該第２の錠止部のスルーホールを突き抜け、且つ第１の錠止部のスルーホールの外側へ伸ばし出し、該作動ロッドの前端と後端の拡大段との間に一つの肩部を形成することにより、該第２の錠止部のスルーホールを丁度突き上げることを可能とし、
第２の弾性部は、該作動ロッドの前端を突き抜けて嵌合し且つ該棒管本体の中心孔の内に収納されるとともに、その両端をそれぞれ第１の錠止部の内部と第２の錠止部の外部に当接することを特徴とする、防火棒の構造。
【請求項２】
該棒管本体の第１の組立部と第１の錠止部との接合、該センサー部の第４の組立部と棒管本体の第２の組立部との接合、及び該第２の錠止部の螺合部と軸管部の第３の組立部との接合は、外・内ねじ山の方式により構成されることを特徴とする、請求項１に記載の防火棒の構造。
【請求項３】
該第２の錠止部とセンサー部の外側周面には、向かい合う二つの挟持面部を設け、スパナー等のツールの挟持の寄与に供することを特徴とする、請求項１に記載の防火棒の構造。
【考案の詳細な説明】
【技術分野】
【０００１】
本考案は、防火検出装置に係り、更に詳しく言えば、如何なる環境中でも、何れもその検出機能を徹底的に実行できる、構造および空間形態の特殊な革新の防火棒構造に関するものである。
【背景技術】
【０００２】
慣用・既知の防火シャッターは、火災が発生した時に、室内の空気の流通する通路を適時に阻止・隔離し或いは開放でき、濃煙を急速に排出でき、或いは濃煙を所定の空間中に阻止・隔離することにより、濃煙が室内に拡散することを避け、災害を最低限まで有効に低減できるものである。そして防火シャッターの有する複数のバッフルプレートが検出装置により制御され、該検出装置が室内温度の変化を感知する時に、直ちに駆動装置を起動することにより、その複数のバッフルプレートの開放または閉鎖と連動して作動する。従って該検出装置の感知の感度が非常に重要となり、慣用・周知の検出装置は電子式微動スイッチング又は機械構造の熔断シート等にも拘らず、何れも金属材質から製成されており、一般の比較的特殊な作業環境中においては、常に空気が酸性に向き或いはアルカリ性に向くので、何れもその検出装置が腐食または錆びを生成し、そして検出装置の感度に影響を及ぼし、万一これにより防火シャッターの開放閉鎖動作に遅れが生じたら、どのような被害や影響が出るのか予測できない。
【０００３】
故に、本創作者は、前述の問題に対して深く検討し、且つ多年に関連する産業の研究開発と製造に従事する経験により、解決の対策を積極的に求め、長期間の努力・研究と発展を経て、ついに本考案を成功的に開発した。
【考案の概要】
【考案が解決しようとする課題】
【０００４】
主として防火シャッターの予定部位に設置され、検出機能を提供し、必要な時に駆動装置が起動して作動できる防火棒を提供する。
【課題を解決するための手段】
【０００５】
該防火棒の構造は、全体としてプラスチック材質から製成され、主として一つの棒管本体、一つの第１の錠止部、一つの軸管部、一つのセンサー部、一つの第２の錠止部、一つの第１の弾性部、一つの作動ロッドと一つの第２の弾性部を含み、棒管本体は、本体の前後を突き抜ける中心孔を有し、本体の前端に一つの第１の組立部を設け、本体の後端に一つの第２の組立部を設け、第１の錠止部は、前端にスルーホールを一つ有し、後端に一つの円孔を内凹向きに設け、該棒管本体と互いに嵌合でき、且つその円孔内には、該棒管本体の第１の組立部に対応して接合部を一つ設け、軸管部は、該棒管本体の中心孔の内部に収納され、該軸管部の後端の一段を該棒管本体の中心孔の後端外部へ伸ばし出し、軸管部の前端に一つの第３の組立部と一つの内凹長孔を設け、センサー部は、その前端に一つの第４の組立部を設け、該棒管本体の第２の組立部と互いに対応して組み立てることを可能とし、且つ該センサー部の中心に一つの内凹孔を設け、該軸管部を該棒管本体の中心孔の外部へ伸ばし出す挿入組立に寄与でき、第２の錠止部が、中心に一つのスルーホールを設け、その後端にも一つの螺合部を設け、該軸管部の第３の組立部と互いに対応して組み立てることを可能とし、第１の弾性部は、該軸管部の内凹長孔の内に収納され、作動ロッドは、その後端に比較的大きな円径を呈して有する拡大段を設けることにより、該軸管部の内凹長孔の中へ伸ばし込み且つ該第１の弾性部の一端に当接でき、作動ロッドの前端が該第２の錠止部のスルーホールを突き抜け、且つ第１の錠止部のスルーホールの外側へ伸ばし出し、第２の弾性部は、該作動ロッドの前端を突き抜けて嵌合し且つ該棒管本体の中心孔の内に収納され、そしてその両端をそれぞれ第１の錠止部の内部と第２の錠止部の外部に当接する。
【考案の効果】
【０００６】
これにより、該センサー部が受熱・熔融した後に該軸管部に対する規制・阻止作用を失い、従って該作動ロッドと連動して変位でき、前述の防火シャッターの駆動装置に対する突き上げ作用を解除し、シャッター内の複数のバッフルプレートが回転して開放または閉鎖の状態を呈することを可能とし、より快速・確実な防火、防煙と排煙の効果を提供する。
【図面の簡単な説明】
【０００７】
【図１】本考案のより好ましい実施例の立体組合せの外観模式図である。
【図２】本考案のより好ましい実施例の立体分解の外観模式図である。
【図３】本考案のより好ましい実施例の組合せの断面模式図である。
【図４】図３の部分拡大模式図である。
【図５】本考案の防火棒の構造と駆動装置との組合せの立体外観模式図である。
【図６】図５の防火棒と駆動装置との組合せが防火シャッターの上に設置される模式図である。
【考案を実施するための形態】
【０００８】
図１と図６を参照して示すように、本考案のより好ましい実施例の提供する防火棒の構造は、主として防火シャッター９の戸枠９１の側辺を有する駆動装置９３の予定部位箇所に設置されるが、図２と図３に対応して参照して示すように、該防火棒の構造の全体は、何れもプラスチック材質から製成され、従って環境が酸性向き又はアルカリ性向き等である作業空間の中に適用し、腐食と錆びを防止でき、より精確・快速な検出作用を提供し、従来に金属にて製成された防火棒が常に錆びにより正確な感知機能を提供できず、そして該複数のバッフルプレート９２を正常的に開放・閉鎖できないという動作の欠点が発生することを徹底的に除去できる。本考案の防火棒の構造は、主として一つの棒管本体１、一つの第１の錠止部２、一つの軸管部３、一つのセンサー部４、一つの第２の錠止部５、一つの第１の弾性部６、一つの作動ロッド７と一つの第２の弾性部８などを含んで構成される。
【０００９】
その中でも、該棒管本体１は、その本体の前後を突き抜ける中心孔１１を有し、本体の前端に外径を拡大し且つ凸円状を呈する第１の組立部１２を設け、更にその外周縁の上に外ねじ山を設け、本体の後端には、一段が内ねじ山である第２の組立部１３を有し、また該棒管本体１の中心孔１１の内部および該第２の組立部１３の少し前段箇所には、本体１の外周側より、少なくとも一つの排気孔１４を穿設する。
【００１０】
第１の錠止部２は、概略ナット嵌合の外形を呈し、外部周側に複数の縦方向ねじ山２１を設けることにより、人手の掴み取りに寄与し、その前端がスルーホール２２を一つ有し、後端に一つの円孔２３を内凹向きに設け、該棒管本体１と互いに嵌合でき、且つその円孔２３の内には、該棒管本体１の第１の組立部１２の外ねじ山に対応して一段が内ねじ山である接合部２４を設ける。
【００１１】
該軸管部３は、該棒管本体１の中心孔１１の内部に収納され、且つ適当な時機にその中心孔１１の内で軸方向の変位でき、該軸管部３の後端に比較的小さな円径を呈する小口径段３１を設け且つ該棒管本体１の第２の組立部１３の外端へ伸ばし出し、該棒管本体１の上の排気孔１４に対応し、該棒管本体１の中心孔１１の内の気体を外向きに排出でき、そして該軸管部３が作動して変位する時に順調に行うことに寄与し、更に該軸管部３の前端に一つの内凹長孔３２を設け、該内凹長孔３２の端部に一つの第３の組立部３３を設けて一段の内ねじ山を有し、そして更に該軸管部３の上に適当な箇所でOリング３４を一つ嵌設する。
【００１２】
該センサー部４は、その前端に一つの第４の組立部４１を有し、該棒管本体１の第２の組立部１３の内へ挿入でき、且つ該第４の組立部４１が一段の外ねじ山となるように設けられ、該棒管本体１の第２の組立部１３の内ねじ山と互いに螺合でき、且つ該センサー部４の中心に一つの内凹孔４２を設け、該軸管部３を該棒管本体１の中心孔１１の外部へ伸ばし出す挿入組立に寄与でき、また該センサー部４の外側周面には、向かい合う二つの挟持面部４３を設け、概略平面状を呈し、一般的なスパナー等のツールの挟持の寄与に供する。
【００１３】
該第２の錠止部５は、概略ナット体で、中心に一つのスルーホール５１を設け、該作動ロッド７の突き抜け・伸ばし出しに供し、該第２の錠止部５の後端に一つの螺合部５２を設け、その外周囲箇所に一段の外ねじ山を設けて該軸管部３の第３の組立部３３の内ねじ山と互いに対応して組み立てることを可能とし、また該第２の錠止部５の外側周面にも、向かい合う二つの挟持面部５３を設け、概略凹面状を呈し、一般なスパナー等のツールの挟持作用の寄与に供する。
【００１４】
第１の弾性部６は、スクリュースプリングで、該軸管部３の内凹長孔３２の内に収納され、且つその一端が該内凹長孔３２の底部に当接する。
【００１５】
該作動ロッド７は、その後端に比較的大きな円径を呈する拡大段７１を設け、該軸管部３の内凹長孔３２の孔径の大きさに対応し、且つ該内凹長孔３２の中へ伸ばし込むことが出来、その底端が該第１の弾性部６の一端に当接し、該作動ロッド７の前端７２の円径が比較的小さくて、該第２の錠止部５のスルーホール５１を突き抜けることが出来、且つ適当な長さを第１の錠止部２のスルーホール２２の外側へ伸ばし出した後に、該防火シャッター９の駆動装置９３のスペーシングプレート９４を妨げることにより、その駆動ロッド９５が回転・揺動し且つひいてはバッフルプレート９２と連動して揺動することによりシャッター１を開放・閉鎖することが出来ない。
【００１６】
更に該作動ロッドの前端７２と拡大段７１との間に一つの肩部７３を形成することにより、該軸管部３と錠止する該第２の錠止部５のスルーホール５１箇所を丁度突き上げることが出来、そして該軸管部３が軸方向変位する時に、その連動変位を受けることが出来る。
【００１７】
第２の弾性部８も、スクリュースプリングで、但し該第１の弾性部６の線径よりも大きくなり、該作動ロッド７の前段を突き抜けて嵌合し且つ該棒管本体１の中心孔１１の内に収納でき、そしてその両端（又は二端）がそれぞれ第１の錠止部２の内部と第２の錠止部５の外部に当接する。
【００１８】
以上に述べる部材により構成される本考案の防火棒の構造は、図５に示すように、その作動ロッド７の前端７２により防火シャッター９の駆動装置９３のスペーシングプレート９４を妨げ、そして該センサー部４の後端が防火シャッター９の戸枠９１を突き抜け且つ戸枠９１内の空間の中へ伸ばし込み、該センサー部４が相当な耐熱性を有するので、温度が一般の正常な温度から約５０度まで上昇する範囲内において、質的な変化を生成できず、従って該駆動装置９３が作動できず、該防火シャッター９が正常な使用状態を維持でき、一旦該センサー部４は、温度が９０度まで上昇し且つ時間が１分間経ったことを感知したら、受熱により熔融し、図４に示すように、該軸管部３の後端の小口径段３１が該センサー部４の規制を失い、そして該第１と第２の弾性部６、８の弾性回復力の突き上げを受け、該軸管部３が軸方向変位を生成し、且つ該作動ロッド７と連動して共に変位し、一旦該作動ロッド７が変位した後に、前述の防火シャッター９の駆動装置９３のスペーシングプレート９４に対する突き上げ作用を解除したら、該駆動装置９３の駆動ロッド９５が回転・揺動でき、該等の複数のバッフルプレート９２との連動を生成して回転して防火シャッター９１が開放または閉鎖する状態を呈することを可能とし、必要な時に検出感知の作用を提供し、防火シャッターの防火、防煙と排煙できる効果を達成し、本考案の全ての部材が何れもプラスチックから製成され、従って特定の酸性向き、アルカリ性向きの作業環境中においても依然として確実な検出作用を提供し、予期の革新目的を達成できる。
【００１９】
そして防火シャッター９が検出装置の作動によりそのバッフルプレート９２を開放または閉鎖する動作と原理、及び提供する安全な防火、防煙と排煙作用などの効果は、周知に属し、且つ本考案の主要な特徴・構造ではなく、ここに省略する。
【００２０】
以上に掲示するのは、ただ本考案のより好ましい実施方式だけで、本考案の実施例の範囲を限定するために用いることが出来ず、本技術の領域内における一般技術員より本考案に基づいて作られた均等な変化および本領域内における技術員の習知する変更が、何れも依然として本考案の実用新案登録請求の亘る範囲に属するべきである。
【符号の説明】
【００２１】
１        棒管本体  
２        第１の錠止部
３        軸管部
４        センサー部
５        第２の錠止部
６        第１の弾性部
７        作動ロッド
８        第２の弾性部
９        防火シャッター
１１      中心孔  
１２      第１の組立部  
１３      第２の組立部   
１４      排気孔
２１      縦方向ねじ山
２２      スルーホール
２３      円孔  
２４      接合部
３１      小口径段
３２      内凹長孔
３３      第３の組立部  
４１      第４の組立部
４２      内凹孔
４３      挟持面部
５１      スルーホール
５２      螺合部
５３      挟持面部
７１      拡大段
７２      前端
７３      肩部
９１      戸枠
９２      バッフルプレート
９３      駆動装置
９４      スペーシングプレート
９５      駆動ロッド
【図１】
0003156893.tif 000003
【図２】
0003156893.tif 000004
【図３】
0003156893.tif 000005
【図４】
0003156893.tif 000006
【図５】
0003156893.tif 000007
【図６】
0003156893.tif 000008